(57)【要約】【課題】シャフトの強度を確保しつつ、シャフトのＥＩを小さくすることができるシャフトおよびそれを備えたゴルフクラブを提供する。【解決手段】シャフト１は外殻を有するものである。外殻は円筒部２と、円筒部２に連続して設けられ、かつシャフト１の外周方向に並んで配置された複数の凸部３ａを有する湾曲部３とを備えている。湾曲部３は、均一の厚みを有しており、複数の凸部３ａがシャフト１の延在方向に延在している。【選択図】図２
2015054037.tif 000002
【特許請求の範囲】
【請求項１】
外殻を有するシャフトであって、
前記外殻は、円筒部と、
前記円筒部に連続して設けられ、かつ前記シャフトの外周方向に並んで配置された複数の凸部を有する湾曲部とを備え、
前記湾曲部は、均一の厚みを有しており、前記複数の凸部が前記シャフトの延在方向に延在している、シャフト。
【請求項２】
前記湾曲部は、前記シャフトの先端から６００ｍｍ以上離れた位置の範囲に設けられている、請求項１に記載のシャフト。
【請求項３】
前記湾曲部は、外周方向において前記複数の凸部に隣接し、前記複数の凸部が突出する基部を含み、
前記複数の凸部および前記基部の各々は前記シャフトの延在方向に対して垂直な方向での断面において円弧形状を有し、
前記複数の凸部の各々の外周面の曲率半径は前記基部の外周面の曲率半径よりも小さい、請求項１または２に記載のシャフト。
【請求項４】
前記複数の凸部の各々の外周面の円弧形状の円の中心は、前記シャフトの全周に渡って前記シャフトの径方向の中心に対して等角に配置されている、請求項３に記載のシャフト。
【請求項５】
前記シャフトの径方向の中心から前記複数の凸部の各々の外周面までの最大距離と前記基部の外周面までの最大距離との比は１．０１３以上１．０７７以下である、請求項３または４に記載のシャフト。
【請求項６】
前記複数の凸部の各々の外周面の曲率半径は２．０ｍｍ以上２．４ｍｍ以下であり、
前記複数の凸部の各々の外周面の円弧形状の円の中心は、前記シャフトの径方向の中心から前記複数の凸部の各々の外周面に向かって４．８０ｍｍ以上５．６５ｍｍ以下の領域に位置している、請求項３〜５のいずれか１項に記載のシャフト。
【請求項７】
請求項１〜６のいずれか１項に記載のシャフトと、
前記シャフトの一方端に取り付けられたグリップと、
前記シャフトの他方端に取り付けられたゴルフクラブヘッドとを備えた、ゴルフクラブ。
【発明の詳細な説明】
【技術分野】
【０００１】
本発明は、シャフトおよびゴルフクラブに関するものである。
【背景技術】
【０００２】
通常、ゴルフクラブのシャフトでは強度を確保するために、シャフトの曲げ剛性（ＥＩ）が大きくなる。このようにシャフトのＥＩが大きくなると、シャフトをしならせることが難しくなる。ゴルファーによってはシャフトをしならせる箇所に好みがあり、たとえば、シャフトをゴルファーの所望するしなり位置の１つである手元でしならせることを好む人もいる。そして、このようなゴルファーにはシャフトの手元ＥＩを小さくすることが求められている。
【０００３】
シャフトのＥＩを小さくするためには、シャフトの断面二次モーメント（Ｉ）を小さくすることが考えられる。そして、シャフトの断面二次モーメント（Ｉ）を小さくするためには、シャフトの直径を小さくすることおよびシャフトの肉厚を薄くすることが考えられる。しかし、多くのゴルファーは、たとえば、シャフトの手元側の直径が変わるとシャフトを握った際に違和感があるため、シャフトの直径を小さくすることは困難である。また、シャフトの肉厚を薄くするとシャフトの強度が低下するため、シャフトの肉厚を薄くすることも困難である。
【０００４】
ところで、シャフトの強度を大きくするための構造は、たとえば特開２０１１−３０５６４号公報（特許文献１）に開示されている。この特開２０１１−３０５６４号公報に記載された構造では、補強のための突起がシャフトの内径部に形成されている。また、この特開２０１１−３０５６４号公報と同様にシャフトの内径部に突起が形成された構造が、たとえば実開平１−８４６７３号公報（特許文献２）に開示されている。また、シャフトの外径部に突起が形成された構造が、たとえば特許第３５１０１４３号公報（特許文献３）に開示されている。
【先行技術文献】
【特許文献】
【０００５】
【特許文献１】特開２０１１−３０５６４号公報
【特許文献２】実開平１−８４６７３号公報
【特許文献３】特許第３５１０１４３号公報
【発明の概要】
【発明が解決しようとする課題】
【０００６】
上記の各公報に記載された構造では、シャフトの内径部または外径部に形成された突起によってシャフトの断面積が大きくなるため、断面二次モーメント（Ｉ）も大きくなる。したがって、シャフトのＥＩを小さくすることはできない。
【０００７】
本発明は上記課題を鑑みてなされたものであり、その目的は、シャフトの強度を確保しつつ、シャフトのＥＩを小さくすることができるシャフトおよびそれを備えたゴルフクラブを提供することである。
【課題を解決するための手段】
【０００８】
本発明のシャフトは外殻を有するものである。外殻は円筒部と、円筒部に連続して設けられ、かつシャフトの外周方向に並んで配置された複数の凸部を有する湾曲部とを備えている。湾曲部は、均一の厚みを有しており、複数の凸部がシャフトの延在方向に延在している。
【０００９】
本発明のシャフトによれば、湾曲部はシャフトの外周方向に並んで配置された複数の凸部を有している。複数の凸部はシャフトの延在方向に延在している。複数の凸部はいわゆるリブとして機能する。凸部は大きな圧力に耐えることができるため、複数の凸部によってシャフトの強度を確保することができる。また湾曲部は均一の厚みを有している。このため、湾曲部の断面積の増大を抑制することができるため、湾曲部の断面二次モーメントの増大を抑制することができる。これにより、シャフトの強度を確保しつつ、シャフトのＥＩを小さくすることができる。
【００１０】
上記のシャフトにおいては、湾曲部は、シャフトの先端から６００ｍｍ以上離れた位置の範囲に設けられている。一般的に、シャフトの先端から６００ｍｍ以上離れた位置であるグリップ近傍の手元位置は、シャフトの肉厚が小さくなることに起因して強度が低下する。上記シャフトでは、シャフトの先端から６００ｍｍ以上離れた位置に上記湾曲部を設けることによって、一般的に強度が低下してしまう手元位置の強度を確保しつつ、シャフトのＥＩを小さくすることができる。
【００１１】
上記のシャフトにおいては、湾曲部は、外周方向において複数の凸部に隣接し、複数の凸部が突出する基部を含んでいる。複数の凸部および基部の各々はシャフトの延在方向に対して垂直な方向での断面において円弧形状を有している。複数の凸部の各々の外周面の曲率半径は基部の外周面の曲率半径よりも小さい。このため、凸部は基部よりも大きな圧力に耐えることができる。したがって、複数の凸部によってシャフトの強度を確保することができる。
【００１２】
上記のシャフトにおいては、複数の凸部の各々の外周面の円弧形状の円の中心は、シャフトの全周に渡ってシャフトの径方向の中心に対して等角に配置されている。これにより、複数の凸部によってシャフトの全周に渡ってシャフトの強度を確保することができる。
【００１３】
上記のシャフトにおいては、シャフトの径方向の中心から複数の凸部の各々の外周面までの最大距離と基部の外周面までの最大距離との比は１．０１３以上１．０７７以下である。これにより、複数の凸部によってシャフトの強度を確保することができる。
【００１４】
上記のシャフトにおいては、複数の凸部の各々の外周面の曲率半径は２．０ｍｍ以上２．４ｍｍ以下である。複数の凸部の各々の外周面の円弧形状の円の中心は、シャフトの径方向の中心から複数の凸部の各々の外周面に向かって４．８０ｍｍ以上５．６５ｍｍ以下の領域に位置している。これにより、複数の凸部によってシャフトの強度を確保することができる。
【００１５】
本発明のゴルフクラブは、上記のシャフトと、シャフトの一方端に取り付けられたグリップと、シャフトの他方端に取り付けられたゴルフクラブヘッドとを備えている。これにより、シャフトの強度を確保しつつ、シャフトのＥＩを小さくすることができるゴルフクラブを得ることができる。
【発明の効果】
【００１６】
以上説明したように、本発明によれば、シャフトの強度を確保しつつ、シャフトのＥＩを小さくすることができるシャフトおよびそれを備えたゴルフクラブを得ることができる。
【図面の簡単な説明】
【００１７】
【図１】本発明の一実施の形態のシャフトを示す概略平面図である。
【図２】図１のＰ部を示す拡大図である。
【図３】図２のＩＩＩ−ＩＩＩ線に沿う断面図である。
【図４】図２のＩＶ−ＩＶ線に沿う断面図である。
【図５】図４の拡大図である。
【図６】本発明の一実施の形態のシャフトの変形例１を示す概略平面図である。
【図７】本発明の一実施の形態のシャフトの変形例２を示す概略平面図である。
【図８】本発明の一実施の形態のゴルフクラブを示す概略斜視図である。
【図９】実施例１のシャフトの断面図であって図５に対応する図である。
【図１０】実施例２の断面図であって図５に対応する図である。
【図１１】実施例３の断面図であって図５に対応する図である。
【図１２】実施例４の断面図であって図５に対応する図である。
【図１３】実施例５の断面図であって図５に対応する図である。
【図１４】実施例６の断面図であって図５に対応する図である。
【図１５】実施例７の断面図であって図５に対応する図である。
【図１６】比較例１の断面図である。
【図１７】比較例２の断面図である。
【図１８】実施例のＶＭ応力の測定方法を示す図である。
【図１９】ＶＭ応力と凸部の数との関係を示す図である。
【図２０】ＥＩとシャフトの先端からの距離との関係を示す図である。
【図２１】肉厚とシャフトの先端からの距離との関係を示す図である。
【発明を実施するための形態】
【００１８】
以下、本発明の一実施の形態について図に基づいて説明する。
最初に、本実施の形態のシャフトの構成について説明する。
【００１９】
図１および図２を参照して、シャフト１は全体として長手方向に沿って根元から先端に向かって直径が減少するテーパ形状を有している。シャフト１はたとえばスチールで形成されている。シャフト１はたとえば１００ｇ以下の質量を有していることが好ましく、超軽量スチールシャフトの質量である８５ｇ以上、一般的な軽量スチールシャフトの質量である９８ｇ以下の質量を有していることが特に好ましい。さらには、軽量スチールシャフトであっても、強度の質量９５ｇ以上９８ｇ以下の質量であれば、なお好ましい。シャフト１は外殻を有しており、外殻は円筒部２と湾曲部３とを有している。
【００２０】
図１および図３を参照して、円筒部２は円筒形状を有している。図１に示すように、円筒部２は複数の円筒状の円筒部材を有している。複数の円筒部材の各々はシャフト１の延在方向（長手方向）に沿って延びるように形成されている。複数の円筒部材の各々は異なる直径を有している。隣り合う円筒部材のうち直径の大きな円筒部材の内周側に直径の小さな円筒部材が挿入されている。そして、直径の大きな円筒部材の内周面の直径の小さな円筒部材側の一部に直径の小さな円筒部材の外周面の直径の大きな円筒部材側の一部が嵌合されている。図３に示すように、円筒部２は略真円状の断面形状を有している。
【００２１】
図１および図２に示すように、湾曲部３は、円筒部２に連続して設けられている。図２および図４を参照して、湾曲部３は複数の凸部３ａと基部３ｂとを有している。また、湾曲部３は、均一の厚みを有している。ここで均一の厚みとは、湾曲部３の厚みは製造時の寸法誤差を含むため、実質的に同じ厚みを意味している。たとえば、シャフト１の延在方向において湾曲部３の厚みの差が±０．０１ｍｍであれば均一な厚みといえる。また、本実施の形態では、湾曲部３はシャフト１の先端から６００ｍｍ以上８００ｍｍ以下の範囲に形成されている。湾曲部３はスウェージングによって形成されている。
【００２２】
図４に示すように、複数の凸部３ａはシャフト１の外周方向に並んで配置されている。複数の凸部３ａがシャフト１の延在方向に延在している。本実施の形態では、複数の凸部３ａはたとえば１２個形成されている。基部３ｂ、はシャフト１の外周方向において複数の凸部３ａに隣接している。複数の凸部３ａが基部３ｂから突出している。また、図２〜４に示すように、複数の凸部３ａは円筒部２の外周面から外方に突出するように形成されている。
【００２３】
図５を参照して、複数の凸部３ａおよび基部３ｂの各々は、シャフト１の延在方向に対して垂直な方向での断面において円弧形状を有している。そして、複数の凸部３ａの円弧形状と基部３ｂの円弧形状とは滑らかに連続している。複数の凸部３ａの各々の外周面の曲率半径３ａｒは基部３ｂの外周面の曲率半径３ｂｒよりも小さい。本実施の形態では、複数の凸部３ａの各々の外周面の曲率半径３ａｒはたとえば２．０ｍｍ以上２．４ｍｍ以下である。基部３ｂの外周面の曲率半径３ｂｒはたとえば６．５０ｍｍ以上７．７５ｍｍ以下である。
【００２４】
また、シャフト１の径方向の中心Ｃ１から複数の凸部３ａの各々の外周面の円弧形状の円の中心Ｃ２までの距離Ｃｐは４．８０ｍｍ以上５．６５ｍｍ以下である。つまり、複数の凸部３ａの各々の外周面の円弧形状の円の中心Ｃ２は、シャフト１の径方向の中心Ｃ１から複数の凸部３ａの各々の外周面に向かって４．８０ｍｍ以上５．６５ｍｍ以下の領域に位置している。
【００２５】
また、複数の凸部３ａの各々の外周面の円弧形状の円の中心Ｃ２は、シャフト１の全周に渡ってシャフト１の径方向の中心Ｃ１に対して等角に配置されている。つまり、中心Ｃ１と一の中心Ｃ２とを結ぶ線と、中心Ｃ１と一の中心Ｃ２に隣り合う他の中心Ｃ２とを結ぶ線とのなす角度が、シャフト１の全周に渡って等しい。ここで等角とは、複数の凸部３ａの製造時の寸法誤差を含むため、実質的に同じ角度を意味している。角度の差が±２°であれば等角といえる。
【００２６】
また、シャフト１の径方向の中心Ｃ１から複数の凸部３ａの各々の外周面までの最大距離Ｄａは６．８０ｍｍ以上８．０５ｍｍ以下であり、シャフト１の径方向の中心Ｃ１から基部３ｂの外周面までの最大距離Ｄｂは６．５ｍｍ以上７．７５ｍｍ以下である。したがって、シャフト１の径方向の中心Ｃ１から複数の凸部３ａの各々の外周面までの最大距離Ｄａと基部３ｂの外周面までの最大距離Ｄｂとの比はＤａ／Ｄｂは１．０１３以上１．０７７以下である。上記距離Ｄａ、Ｄｂ（曲率半径３ｂｒ）および曲率半径３ａｒは、それぞれ、隣り合う凸部３ａの間に基部３ｂが露出するように、複数の凸部３ａを設定した上で範囲を設定している。具体的には、距離Ｄｂが６．５ｍｍの場合には、曲率半径３ａｒは２．０ｍｍ、距離Ｄａは６．８０ｍｍ、および、中心Ｃ１と中心Ｃ２間の距離は４．８０ｍｍに設定されている。また、距離Ｄｂが７．７５の場合には、曲率半径３ａｒは２．４ｍｍ、距離Ｄａは８．０５ｍｍ、および、中心Ｃ１と中心Ｃ２間の距離は５．６５ｍｍに設定されている。また、Ｄａ／Ｄｂの最小値１．０１３は、Ｄａ＝７．８５、Ｄｂ＝７．７５により求めているとともに、Ｄａ／Ｄｂの最大値１．０７７は、Ｄａ＝７．００、Ｄｂ＝６．５０により求めている。
【００２７】
上記実施の形態では、図１に示すように、湾曲部３がシャフト１の先端から６００ｍｍ以上８００ｍｍ以下の範囲の位置に形成されている場合について説明したが、湾曲部３の位置はこれに限定されない。図６を参照して、本実施の形態の変形例１では、湾曲部３はシャフト１の先端からたとえば６００ｍｍから後端まで連続して形成されている。この変形例１でもシャフト１の強度を確保しつつ、ゴルファーの所望するしなり位置の１つであるシャフト１の手元のＥＩを小さくすることができる。また、図示しないが、湾曲部３は、ゴルファーの所望するしなり位置の１つである、シャフト１の長手方向の中央部近傍に設けられていてもよいし、シャフト１の先端側近傍に設けられてもよい。さらには、湾曲部３の延在長さが上記実施形態より長くてもよいし、短くてもよい。
【００２８】
また、上記実施の形態では、図２〜図４に示すように、湾曲部３の複数の凸部３ａが円筒部２の外周面よりも外方に突出している場合について説明したが、湾曲部３の複数の凸部３ａの形状はこれに限定されない。図７を参照して、本実施の形態の変形例２では、湾曲部３の複数の凸部３ａは円筒部２の外周面よりも半径方向外側に突出していない。複数の凸部３ａの各々は、複数の凸部３ａの各々の外周面が円筒部２の外周面と同じ直径を有するように形成されていてもよい。この場合、基部３ｂは、基部３ｂの外周面が円筒部２の外周面よりも小さい直径を有している。
【００２９】
次に、本実施の形態のゴルフクラブの構成について説明する。以下、本実施の形態のゴルフクラブの例としてアイアンゴルフクラブについて説明する。
【００３０】
図８を参照して、本実施の形態のシャフト１にグリップ１１およびゴルフクラブヘッド１２を組み合わせることで本実施の形態のゴルフクラブ１０が構成されている。ゴルフクラブ１０は、シャフト１と、シャフト１の一方端に取り付けられたグリップ１１と、シャフト１の一方端と反対側の他方端に取り付けられたゴルフクラブヘッド１２とを有している。なお、グリップ１１およびゴルフクラブヘッド１２は周知のものを採用可能である。
【００３１】
次に、本実施の形態の作用効果について説明する。
本実施の形態のシャフト１によれば、湾曲部３はシャフト１の外周方向に並んで配置された複数の凸部３ａを有している。複数の凸部３ａはシャフト１の延在方向に延在している。複数の凸部３ａはいわゆるリブとして機能する。つまり、凸部３ａは大きな圧力に耐えることができるため、複数の凸部３ａによってシャフト１の強度を確保することができる。また湾曲部３は均一の厚みを有している。このため、湾曲部３の断面積の増大を抑制することができるため、湾曲部３の断面二次モーメントの増大を抑制することができる。これにより、シャフト１の強度を確保しつつ、ゴルファーの所望するしなり位置の１つであるシャフト１の手元のＥＩを小さくすることができる。
【００３２】
また、湾曲部３を、シャフトの先端から６００ｍｍ以上離れた位置の範囲に設けることによって、一般的に強度が低下してしまう手元位置の強度を確保しつつ、シャフト１のＥＩを小さくすることができる。
【００３３】
また湾曲部３が均一の厚みを有しているため、たとえばシャフト１の内径部または外径部に単純に突起が追加された場合に比べてシャフト１の重量を軽くすることができる。
【００３４】
また本実施の形態のシャフト１においては、複数の凸部３ａの各々の外周面の曲率半径は基部３ｂの外周面の曲率半径よりも小さい。このため、凸部３ａは基部３ｂよりも大きな圧力に耐えることができる。したがって、複数の凸部３ａによってシャフト１の強度を確保することができる。
【００３５】
また本実施の形態のシャフト１においては、複数の凸部３ａの各々の外周面の円弧形状の円の中心Ｃ２は、シャフト１の全周に渡ってシャフト１の径方向の中心Ｃ１に対して等角に配置されている。これにより、複数の凸部３ａによってシャフト１の全周に渡ってシャフト１の強度を確保することができる。
【００３６】
また本実施の形態のシャフト１においては、シャフト１の径方向の中心Ｃ１から複数の凸部３ａの各々の外周面までの最大距離と基部３ｂの外周面までの最大距離との比Ｄａ／Ｄｂは１．０１３以上１．０７７以下である。これにより、複数の凸部３ａによってシャフト１の強度を確保することができる。
【００３７】
また本実施の形態のシャフト１においては、複数の凸部３ａの各々の外周面の曲率半径は２．０ｍｍ以上２．４ｍｍ以下である。複数の凸部３ａの各々の外周面の円弧形状の円の中心Ｃ２は、シャフト１の径方向の中心Ｃ１から複数の凸部３ａの各々の外周面に向かって４．８０ｍｍ以上５．６５ｍｍ以下の領域に位置している。これにより、複数の凸部３ａによってシャフト１の強度を確保することができる。
【００３８】
本実施の形態のゴルフクラブ１０は、上記のシャフト１と、シャフト１の一方端に取り付けられたグリップ１１と、シャフト１の他方端に取り付けられたゴルフクラブヘッド１２とを備えている。これにより、シャフト１の強度を確保しつつ、ゴルファーの所望するしなり位置の１つであるシャフト１の手元のＥＩを小さくすることができるゴルフクラブ１０を得ることができる。
【実施例】
【００３９】
以下、本発明の実施例について、比較例と対比して説明する。なお、上記と同一または相当する部分に同一の参照符号を付し、その説明を繰り返さない場合がある。
【００４０】
本発明の実施例１〜７および比較例１〜２の強度をシミュレーションにより測定した。実施例１〜７および比較例１〜２の構成について説明する。実施例１〜７および比較例１〜２は断面形状が主に異なっている。図９を参照して、実施例１では複数の凸部３ａが５個形成されている。図１０を参照して、実施例２では複数の凸部３ａが８個形成されている。図１１を参照して、実施例３では複数の凸部３ａが１０個形成されている。図１２を参照して、実施例４では複数の凸部３ａが１２個形成されている。図１３を参照して、実施例５では複数の凸部３ａが１５個形成されている。図１４を参照して、実施例６では複数の凸部３ａが１８個形成されている。図１５を参照して、実施例７では複数の凸部３ａが２０個形成されている。図１６および図１７を参照して、比較例１および比較例２では凸部３ａが形成されていない。
【００４１】
また実施例１〜７のいずれも肉厚は０．２６ｍｍとした。比較例１の肉厚は０．３４ｍｍとし、比較例２の肉厚は０．２６ｍｍとした。また、実施例１〜７および比較例１〜２のいずれも直径は１３．７ｍｍとした。なお実施例１〜７の直径は基部の直径である。
【００４２】
図１８を参照して、測定方法について説明する。なお図１８では実施例４の構成を図示している。実施例１〜７および比較例１〜２のいずれも延在方向の長さ寸法は６０ｍｍとした。そして、実施例１〜７および比較例１〜２のいずれも両端を固定し、延在方向の中心において直径４ｍｍの円を投影した面に１００Ｎの力Ｆをかけた状態で、当該面の中心のＶＭ（Ｖｏｎ  Ｍｉｓｅｓ）応力値を有限要素法でシミュレーションによって測定した。
【００４３】
上記シミュレーション結果を図１９に示す。図１９を参照して、比較例２ではＶＭ応力が５６０ＭＰａと大きいため強度を確保できないことがわかった。これに対して、実施例１〜７ではＶＭ応力が小さいため強度を確保できることがわかった。また、ＶＭ応力は、比較例１のＶＭ応力３６５ＭＰａ以下が好ましい。したがって、ＶＭ応力が比較例１よりも小さい実施例１〜４が好ましいことがわかった。実施例４ではＶＭ応力が３４０ＭＰａとなった。そして、実施例１〜４では厚さ０．２６ｍｍの薄肉でありながら厚さ０．３４ｍｍの厚肉の比較例１よりも大きな強度を確保することができることがわかった。
【００４４】
なお、比較例１は０．３４ｍｍの肉厚によって強度を確保することはできるが、肉厚が実施例１〜７に比べて厚いため断面２次モーメントが大きくなることからＥＩを小さくすることはできない。
【００４５】
続いて、図２０および図２１を参照して、湾曲部を有する実施例ＡおよびＢのシャフトと、湾曲部を有さない比較例Ａのシャフトについて、ＥＩをシミュレーションによって測定した。ここで、図２０は、湾曲部を有する実施例ＡおよびＢのシャフトと、湾曲部を有さない比較例Ａのシャフトとの各々についての肉厚の変化を表したグラフである。また、図２１は、実施例ＡおよびＢのシャフトと比較例Ａのシャフトとの各々についてのＥＩの変化を表したグラフであり、これらＥＩの変化は、図２０に示した肉厚の変化に基づいてシミュレーション計算によって求められている。
【００４６】
図２１に示すように、比較例Ａのシャフトは、上記比較例１の厚さ０．３４ｍｍ程度の厚さをシャフトの先端から７００ｍｍ付近で有している。図２０に示すように、比較例Ａでは、手元にあたるシャフトの先端から６００ｍｍ以上８００以下の範囲でＥＩが大きくなっている。
【００４７】
実施例Ａのシャフトは図１に示す構成と同様の構成を有している。実施例Ｂのシャフトは図６に示す構成と同様の構成を有している。図２１に示すように、実施例ＡおよびＢのシャフトは上記実施例１〜７の厚さ０．２６ｍｍ程度の厚さをシャフトの先端から６００以上８００ｍｍ以下の範囲付近で有している。なお、実施例Ａではシャフトの先端から８００ｍｍを超える範囲では比較例Ａと同様の肉厚を有している。
【００４８】
図２０に示すように、実施例ＡおよびＢでは、手元にあたるシャフトの先端から６００ｍｍ以上８００ｍｍ以下の範囲でＥＩが小さくなっている。よって、実施例ＡおよびＢではシャフトの強度を確保しつつ、ゴルファーの所望するしなり位置の１つであるシャフトの手元のＥＩを小さくすることができることがわかった。
【００４９】
今回開示された実施の形態および実施例はすべての点で例示であって制限的なものではないと考えられるべきである。本発明の範囲は上記した説明ではなくて特許請求の範囲によって示され、特許請求の範囲と均等の意味および範囲内でのすべての変更が含まれることを意図される。
【符号の説明】
【００５０】
１  シャフト、２  円筒部、３  湾曲部、３ａ  凸部、３ａｒ，３ｂｒ  曲率半径、３ｂ  基部、１０  ゴルフクラブ、１１  グリップ、１２  ゴルフクラブヘッド。
【図２】
2015054037.tif 000003
【図３】
2015054037.tif 000004
【図４】
2015054037.tif 000005
【図５】
2015054037.tif 000006
【図７】
2015054037.tif 000007
【図８】
2015054037.tif 000008
【図９】
2015054037.tif 000009
【図１０】
2015054037.tif 000010
【図１１】
2015054037.tif 000011
【図１２】
2015054037.tif 000012
【図１３】
2015054037.tif 000013
【図１４】
2015054037.tif 000014
【図１５】
2015054037.tif 000015
【図１６】
2015054037.tif 000016
【図１７】
2015054037.tif 000017
【図１８】
2015054037.tif 000018
【図１９】
2015054037.tif 000019
【図２０】
2015054037.tif 000020
【図２１】
2015054037.tif 000021
【図１】
2015054037.tif 000022
【図６】
2015054037.tif 000023
【手続補正書】
【提出日】平成27年1月20日(2015.1.20)
【手続補正１】
【補正対象書類名】特許請求の範囲
【補正対象項目名】全文
【補正方法】変更
【補正の内容】
【特許請求の範囲】
【請求項１】
外殻を有するシャフトであって、
前記外殻は、円筒部と、
前記円筒部に連続して設けられ、かつ前記シャフトの外周方向に並んで配置された複数の凸部を有する湾曲部とを備え、
前記湾曲部の前記複数の凸部が前記シャフトの延在方向に延在しており、
前記シャフトの肉厚が前記シャフトの先端から７８０ｍｍの位置近傍にかけて次第に小さくなり、
前記湾曲部は、前記シャフトの先端から６００ｍｍ以上８００ｍｍ以下の範囲のみに設けられており、
前記シャフトは軽量スチールシャフトであって、質量が８５ｇ以上９８ｇ以下であり、
前記湾曲部は、外周方向において前記複数の凸部に隣接し、前記複数の凸部が突出する基部を含み、
前記複数の凸部および前記基部の各々は前記シャフトの延在方向に対して垂直な方向での断面において円弧形状を有し、
前記シャフトの径方向の中心から前記複数の凸部の各々の外周面までの最大距離と前記基部の外周面までの最大距離との比は１．０１３以上１．０７７以下であり、
隣り合う前記凸部の外周面の円弧形状の円は互いに重なっており、
前記複数の凸部の各々の外周面の曲率半径は２．０ｍｍ以上２．４ｍｍ以下であり、前記基部の外周面の曲率半径は６．５０ｍｍ以上７．７５ｍｍ以下である、シャフト。
【請求項２】
前記複数の凸部の各々の外周面の曲率半径は前記基部の外周面の曲率半径よりも小さい、請求項１に記載のシャフト。
【請求項３】
前記複数の凸部の各々の外周面の円弧形状の円の中心は、前記シャフトの全周に渡って前記シャフトの径方向の中心に対して等角に配置されている、請求項１または２に記載のシャフト。
【請求項４】
前記複数の凸部の各々の外周面の円弧形状の円の中心は、前記シャフトの径方向の中心から前記複数の凸部の各々の外周面に向かって４．８０ｍｍ以上５．６５ｍｍ以下の領域に位置している、請求項１〜３のいずれか１項に記載のシャフト。
【請求項５】
請求項１〜４のいずれか１項に記載のシャフトと、
前記シャフトの一方端に取り付けられたグリップと、
前記シャフトの他方端に取り付けられたゴルフクラブヘッドとを備えた、ゴルフクラブ。